(57)【要約】【課題】採暖用発熱部へ安定的に大電力を供給する省エネルギー性に富んだ瞬間便座暖房を実現する。【解決手段】便座１の回動状態を回動位置検出手段９と停止状態検出手段１０によって検出し、長時間便座１が停止状態にあることを検出した時に報知手段１１によって回動を促すことによって摺動接続部４の抵抗を低く保つものである。【選択図】図１
2005253566.tif 000002
【特許請求の範囲】
【請求項１】
空洞部に熱エネルギーの発生源であるヒータを有する便座と、前記便座へ電力を供給する便座制御部を有し、前記便座と前記便座制御部の接合部は、着脱自在で前記便座の装着時は前記便座回動を可能としかつ前記ヒータへの電力の供給を行う摺動接続手段で構成し、前記便座制御部には、便座の回動位置検出手段、一定時間以上前記便座が同一位置にあることを検出し出力信号を出力する停止状態検出手段、停止状態検出手段からの出力信号で警報を発する報知手段を有する暖房便座。
【請求項２】
停止状態検出手段からの出力信号に基づいて便座を回動させるモータ手段を有する請求項１記載の暖房便座。
【請求項３】
便座を回動させる時刻を設定する時刻設定手段を有し、前記時刻設定手段は停止状態検出手段からの出力信号に基づいて一定時刻に前記便座を回動させる請求項１または２記載の暖房便座。
【請求項４】
時間計測手段を有し、停止状態検出手段からの出力信号に基づいて時間計測手段によって計測された一定時間ごとに前記便座を回動させる請求項１から３のいずれか１項に記載の暖房便座。
【請求項５】
ヒータをランプヒータとした請求項１〜４のいずれか１項に記載の暖房便座。
【請求項６】
回動位置検出手段はマイクロスイッチで構成した請求項１〜５のいずれか１項に記載の暖房便座。
【請求項７】
報知手段はランプ表示により行う請求項１〜６のいずれか１項に記載の暖房便座。
【請求項８】
報知手段は音声報知により行う請求項１〜７のいずれか１項に記載の暖房便座。
【発明の詳細な説明】
【技術分野】
【０００１】
本発明は便座を短時間で暖房する速温暖房便座の便座脱着部の構成に関するものである。
【背景技術】
【０００２】
従来のこの種の暖房便座では、図９に示すように内部に空洞部を持つ便座１０１の裏面にコードヒータ１０２を設置し、コードヒータ１０２からの熱伝導を着座面１０３に伝え、昇温させるというものであった。また便座１０１の回転性能と清掃のための便座１０１を制御器本体１０４からの取り外しができるようにしていた。そしてその接続部は図１０に示すように、コードヒータ１０２の引き出し部を同軸状のコネクタ１０５で制御器本体１０４側のコネクタ受け部１０６と摺動嵌合する構成としていた。しかしながら、コードヒータ１０２は常時保温のため、１００Ｖで５０Ｗ程度の電力で便座不使用時にも通電を行っていた。このような無駄な電力を使用しない省エネルギー便座実現のために、通常は便座の暖房を切っておき、使用時のみ通電し暖房しようという試みが図１１に示すように瞬暖性能に優れたランプヒータ１０８を使ってなされている（例えば特許文献１参照）。
【特許文献１】特開２０００−１４５９８号公報
【発明の開示】
【発明が解決しようとする課題】
【０００３】
しかし瞬暖性能を向上しようとすると、必然的に大電力を投入せざるを得ず、大電力のコードヒータ１０４を使う場合であれ、ランプヒータ１０８のような輻射熱を使って瞬暖を実現しようとする場合であれ、コードヒータ１０４の常時通電で便座暖房を行う場合に比較して１０倍程度の大電流を流す必要があった。ところが大電流を摺動嵌合部に流すと嵌合部での接触抵抗の増大によっては電力が便座にうまく供給できない可能性があった。とくに便座開閉がなされない状態で便器に置かれたままの状態が長く続くと、嵌合部の接触抵抗が増大する可能性があった。
【課題を解決するための手段】
【０００４】
前記従来の課題を解決するために、空洞部に熱エネルギーの発生源であるヒータを有する便座と、便座へ電力を供給する便座制御部を有し、便座と便座制御部の接合部は、着脱自在で便座の装着時は便座回動を可能としかつヒータへの電力の供給を行う摺動接続手段で構成し、便座制御部には、便座の回動位置検出手段、一定時間以上便座が同一位置にあることを検出し出力信号を出力する停止状態検出手段、停止状態検出手段からの出力信号で警報を発する報知手段を有する構成としたものである。
【０００５】
この構成によって、便座の回動が長期間なされなかった時には警報を出力し、摺動動作を行うことを促し、摺動部の接触抵抗を低減、電気的接続を良好に保つことができる。
【発明の効果】
【０００６】
本発明は、便座の着脱部の電気的接続が良好な、瞬暖性能を有する便座の着脱自在な暖房便座を実現することを可能としたものである。
【発明を実施するための最良の形態】
【０００７】
第１の発明は、空洞部に熱エネルギーの発生源であるヒータを有する便座と、便座へ電力を供給する便座制御部を有し、便座と便座制御部の接合部は、着脱自在で便座の装着時は便座回動を可能としかつヒータへの電力の供給を行う摺動接続手段で構成し、便座制御部には、便座の回動位置検出手段、一定時間以上便座が同一位置にあることを検出し出力信号を出力する停止状態検出手段、停止状態検出手段からの出力信号で警報を発する報知手段を有するものであり、取り外しのできる暖房便座を実現する暖房便座を実現することが可能になる。
【０００８】
なお、便座の回動については、回動可能な角度で、それまでの停止位置から最大回動角度までの１往復を回動させることが好ましいが、最大回動可能角度の一部の範囲で回動させるようにするだけでもよく、回動速度は速くても遅くても、通常の便座使用に支障をきたさないように設定することが最もよい。また、使用者の便座使用のタイミングと重なった場合には、使用者が手動で使用状態に合わせた便座位置にすることも考えられるので、このような使用が可能な構成とすることが好ましいため、モータは自動で回動させている途中に手動による外的な力が付加されても異常を生じないものが適切である。
【０００９】
第２の発明は、第１の発明の暖房便座に、モータ手段を設けて、停止状態検出手段からの出力信号に基づいて便座を回動させるものであり、便座の長期間の停止状態を警告するとともに、便座駆動用モータ手段を動作させ、便座摺動部の接触抵抗の低減を図るものである。これにより、モータにより自動で、便座を回動させることができて、使い勝手のよいものとなる。
【００１０】
第３の発明は、第１または２の発明の暖房便座に、便座を回動させる時刻を設定する時刻設定手段を設け、停止状態検出手段からの出力信号に基づいて一定時刻にモータへ便座の回動指令を出力するものであり、定期的に便座を回動させることにより、摺動部の接触抵抗の低減を図るものである。例えば、通常家庭の暖便座であれば、夜中就寝中の時間帯など、便座の使用がされない時間帯にこの時刻を設定すれば、便座使用と便座の回動タイミングをずらすことができて、使用者の便座使用に支障を生じることなく、回動接続部の電気的抵抗を低下させることが可能となる。
【００１１】
第４の発明は、第１から３の発明の暖房便座に、時間計測手段を設け、一定時間前記便座が停止状態にあることを検出した時、モータへ便座の回動指令を出力する。これによって、時間測定手段の測定した一定時間ごとに便座を回動して、より確実に回動接続部の電気抵抗を低下させることができる。
【００１２】
第５の発明は、特に第１から４の発明において、ヒータをランプヒータとしたものであり、ランプヒータからの輻射熱で瞬暖性能を高めたものである。
【００１３】
第６の発明は、特に第１から５の発明において、回動位置検出手段をマイクロスイッチで構成したものであり、マイクロスイッチの接点のオン−オフ状態で便座の位置検出を行うことが可能になる。
【００１４】
第７の発明は、特に第１から６の発明において、報知手段をランプ表示により行うものであり、視覚刺激によって便座の摺動を行うことを警告することができる。
【００１５】
第８の発明は、特に第１から７の発明において、報知手段を音声報知により行うものであり、聴覚刺激によって便座の摺動を行うことを警告することができる。
【００１６】
これらの視覚刺激や聴覚刺激により、便座の回動中の警告がよりアピールされ、使用者の便座使用のタイミングと重なった場合、便座回動の状態をより効果的に警告することが可能となる。
【００１７】
以下、本発明の実施の形態について、図面を参照しながら説明する。以下の図面において、同一の符号を付したものは同一の機能、作用をもつものとして、これらの説明を省略する。なお、この実施の形態によって本発明が限定されるものではない。
【００１８】
（実施の形態１）
図１は本発明の実施の形態１における暖房便座の構成図である。図１において、便座１は内部に空洞部を有し、暖房用の内部にコードヒータ２が着座面３の裏側に貼り付けてある。また便座部は摺動接続部４と軸５を回転の軸として回動し便器６から浮かせ男子小用時に使用することができる。摺動接続部４と軸５は摺動接続手段７を構成している。また摺動接続部４は電気的接続も行い、コードヒータ２の電力は便座制御部８から摺動接続部４を介して供給される。摺動接続部４は同軸接続がされているので、軸方向に引き抜くことにより便座１全体を便座制御部８から取り外して容易に清掃することができる構成になっている。また摺動接続手段７の状態は回動位置検出手段９で回転角度の情報が、停止状態検出手段１０で停止時間、停止に至る履歴などが検出され、報知手段１１に伝えられる。
【００１９】
このような構成で、便座１が長期間一定位置に放置されていたことが検出された時は報知手段１１から便座１を回動させることを指示する出力が出され、その出力情報に基づいて便座１の回動がなされると便座１が回動されることによって、摺動接続部４が機械的に擦られる。従って接触抵抗が低下し、コードヒータ２に瞬暖に必要な大電流が流されても摺動接続部４から必要な電力が安定的に供給される。
【００２０】
（実施の形態２）
図２は本発明の実施の形態２における暖房便座の構成図である。実施の形態１と同様の符号を付したものは、同様の動作、作用をするもので、説明を省略する。実施の形態１との違いは、便座１の空洞部に設置されていたコードヒータ２がランプヒータ１２に代わった点である。ランプヒータ１２は主に赤外線の熱輻射によって便座面３の裏面を加熱するものであり、コードヒータ２に比して瞬暖性は格段に優れている。しかしランプヒータ１２が冷えた状態で電圧が印加されると突入電流が流れる可能性があり、接触摺動部４の接触抵抗をより小さく保つ必要がある。そのために摺動接続手段７の状態を検出して警報を発する構成は、瞬暖便座の実現にきわめて有用である。
【００２１】
（実施の形態３）
図３は本発明の実施の形態３における暖房便座の構成図で、便座の回動部についてのみ、説明する。便座１の回動する軸に取り付けられたカム１３は便座１が回動するとマイクロスイッチ１４のボタン１５を押す。するとＣ接点１６とＮＯ接点１７の間が導通し、便座が跳ね上げられたことが検出できる。マイクロスイッチ１４の接点間の導通によって便座１の回動位置を知ることが可能となる。なお、回動角度検出手段としては、マイクロスイッチだけでなく、角度によって、それに応じた出力電圧が出力されるポテンショメータ設置しても同等な降下が得られる。
【００２２】
（実施の形態４）
図４は本発明の実施の形態４における暖房便座の報知手段の構成についての説明図である。便座１が長時間一定位置で停止していたことを検出した時、赤ランプ１８が点灯あるいは点滅して便座１の回動を促し、回動が実行された時は青ランプ１９が点灯する。このように視覚に訴えて報知を行うことによって確実な摺動接続部４の接触抵抗を低抵抗に保持することが可能となる。
【００２３】
（実施の形態５）
図５は本発明の実施の形態５における暖房便座の構成図で、実施の形態４とは別の報知手段の構成を説明する図である。便座１が長時間一定位置で停止していたことを検出した時、スピーカー２０から音声で便座１の回動を促すものである。このように聴覚に訴えて報知を行うことによって確実な摺動接続部４の接触抵抗を低抵抗に保持することが可能となる。またブザー音を鳴らし続けても良い。
【００２４】
（実施の形態６）
図６は本発明の実施の形態６における暖房便座の構成図である。実施の形態１〜５との違いは、便座１を回動させるモータ２１を有する点にある。警報出力手段からの信号を受けると便座１の軸５側に取り付けられたモータ２１は便座１の回動を行い、それによって摺動接続部４も摺動して、接触抵抗を低減する。このように便座１の回動を人の手を煩わせず自動的に行うことにより、確実に接触摺動部４の抵抗を低く保つことができる。モータは回動角度を入力角度を入力パルスの数で制御できるステッピングモータが望ましい。
【００２５】
（実施の形態７）
図７は本発明の実施の形態７における暖房便座の構成図である。実施の形態６との違いは、便座１を回動させるモータ２１が、時刻検出手段２２の出力によって定期的に駆動される。例えば夜中の１２時頃、トイレを使用する確率が非常に低い時間を予め選定しておくことによって定期的に起動され、それによって摺動接続部４も摺動して、接触抵抗を低減する。このように便座１の回動を人の手を煩わせず自動的に行うことにより、確実に接触摺動部４の抵抗を低く保つことができる。
【００２６】
（実施の形態８）
図８は本発明の実施の形態８における暖房便座の構成図である。実施の形態７との違いは、時間計測手段２３は便座が動かされていない時間を計数している。動かされた時は計数を最初からやり直し、一定時間動かされていないことを計数したら、便座１を回動させるモータ２１に信号を送って便座１を回動させた後、計数を最初からやり直す。
【００２７】
このように確実に一定時間毎に便座１が回動させられることによって摺動接続部４も摺動して、接触抵抗を低減する。このように便座１の回動を人の手を煩わせず自動的に行うことにより、確実に接触摺動部４の抵抗を低く保つことができる。
【産業上の利用可能性】
【００２８】
以上のように、本発明にかかる暖房便座は、便座の電気的接続部を定期的に摺動させ接触抵抗を低く保つものであるので、便座に限らず、建設機械、工作機械など回動する接点を介して大きな電力を供給しなければならない電機機器にも応用が可能である。
【図面の簡単な説明】
【００２９】
【図１】本発明の実施の形態１における暖房便座の構成図
【図２】本発明の実施の形態２における暖房便座の構成図
【図３】本発明の実施の形態３における暖房便座の構成図
【図４】本発明の実施の形態４における暖房便座の断面図
【図５】本発明の実施の形態５における暖房便座の構成図
【図６】本発明の実施の形態６における暖房便座の構成図
【図７】本発明の実施の形態７における暖房便座の構成図
【図８】本発明の実施の形態８における暖房便座の構成図
【図９】従来の暖房便座の構成図
【図１０】従来の他の暖房便座の構成図
【図１１】従来の他の暖房便座の断面構成図
【符号の説明】
【００３０】
１  便座
２  コードヒータ
４  摺動接続部
５  軸
７  摺動接続手段
８  便座制御部
９  回動位置検出手段
１０  停止状態検出手段
１１  報知手段
１２  ランプヒータ
１４  マイクロスイッチ
１８  赤ランプ
１９  青ランプ
２０  スピーカ
２１  モータ
２２  時刻検出手段
２３  時間計測手段
【図１】
2005253566.tif 000003
【図２】
2005253566.tif 000004
【図３】
2005253566.tif 000005
【図４】
2005253566.tif 000006
【図５】
2005253566.tif 000007
【図６】
2005253566.tif 000008
【図７】
2005253566.tif 000009
【図８】
2005253566.tif 000010
【図９】
2005253566.tif 000011
【図１０】
2005253566.tif 000012
【図１１】
2005253566.tif 000013